(57)【要約】【課題】ポケットティッシュの紙の取り出しを助ける。【解決手段】衣服のポケットに入る程度の大きさの袋の中に整然と折りたたんで収納された複数枚のティッシュを、前記袋の中央部の隙間から１枚ずつ引っ張り出して使うように構成されたポケットティッシュであって、前記複数枚のティッシュの折りたたみ方は前記中央部の隙間にティッシュの端の一辺が一致するようにかつ同じ方向に整然と並んだものであって、前記袋の表面のうち、前記中央部の隙間で隔たれた領域のいずれかに方向指示マークを設け、使用者が指を挿入してティッシュの端をつかむための表示としたものである。方向指示マークは人間の手の指又は矢印を描いたものが望ましい。【選択図】図２
0003107234.tif 000002
【実用新案登録請求の範囲】
【請求項１】
衣服のポケットに入る程度の大きさの袋の中に整然と折りたたんで収納された複数枚のティッシュを、前記袋の中央部の隙間から１枚ずつ引っ張り出して使うように構成されたポケットティッシュであって、
前記複数枚のティッシュの折りたたみ方は前記中央部の隙間にティッシュの端の一辺が一致するようにかつ同じ方向に整然と並んだものであって、
前記袋の表面のうち、前記中央部の隙間で隔たれた領域のいずれかに方向指示マークを設け、
使用者が指を挿入してティッシュの端をつかむための表示としたポケットティッシュ。
【請求項２】
請求項１に記載のポケットティッシュであって、
前記方向指示マークは人間の手の指を描いたものであるポケットティッシュ。
【請求項３】
請求項１に記載のポケットティッシュであって、
前記方向指示マークは矢印を描いたものであるポケットティッシュ。
【考案の詳細な説明】
【技術分野】
【０００１】
本考案は、ポケットティッシュを収納して取り出し穴からティッシュペーパーを１枚ずつ次々と取り出すポケットティッシュに関する。
【背景技術】
【０００２】
特許文献１にはプラスティックのポケットティッシュペーパーケースが開示されている。
【０００３】
特許文献２には石鹸の収納箱と共用できるティッシュペーパーケースが開示されている。
【０００４】
特許文献１のケースは日常的に持ち歩くのに便利なものである。
【０００５】
特許文献２のケースは石鹸箱の転用にその主眼が置かれている。
【特許文献１】実公平０７−０５１５０１号公報
【特許文献２】実用新案登録第２５００３０１号公報
【考案の開示】
【考案が解決しようとする課題】
【０００６】
本考案の考案者は、ポケットティッシュが１枚出して使うと次の紙が収納されたままであって取り出しにくいことに鑑みて、次の紙の取り出しに役立つ何らかの工夫が望ましいと考えた。本考案が解決しようとする問題点は、ポケットティッシュの紙の取り出しを助けることにある。
【課題を解決するための手段】
【０００７】
本考案に係るポケットティッシュは、衣服のポケットに入る程度の大きさの袋の中に整然と折りたたんで収納された複数枚のティッシュを、前記袋の中央部の隙間から１枚ずつ引っ張り出して使うように構成されたポケットティッシュであって、前記複数枚のティッシュの折りたたみ方は前記中央部の隙間にティッシュの端の一辺が一致するようにかつ同じ方向に整然と並んだものであって、前記袋の表面のうち、前記中央部の隙間で隔たれた領域のいずれかに方向指示マークを設け、使用者が指を挿入してティッシュの端をつかむための表示としたものである。
【０００８】
請求項２に記載の考案は、請求項１に記載のポケットティッシュであって、前記方向指示マークは人間の手の指を描いたものである。
【０００９】
請求項３に記載の考案は、請求項１に記載のポケットティッシュであって、前記方向指示マークは矢印を描いたものである。
【考案の効果】
【００１０】
本考案のポケットティッシュは、ポケットティッシュの次に使う端をつかむのを助ける。またケースに収納する場合の収納の向きを決めるのに役立つ。
【考案を実施するための最良の形態】
【００１１】
以下図面を参照しつつ本考案の実施形態について説明する。図１は、方向指示マークを設けたポケットティッシュをボックスティッシュの箱の横に設けられたポケットティッシュ収納部に収納する様子を示した斜視図である。ポケットティッシュ２００を二個収納することができるようになっている。ここで、ポケットティッシュの場合の、中のティッシュの折りたたみ方について説明する。ポケットティッシュの場合の折りたたみ方は、通常、ボックスティッシュの場合の折りたたみ方とは異なる。ボックスティッシュの場合は、互い違いの向きに折りたたまれており、一度引き出すごとに、紙の向きが逆になる。それに対し、ポケットティッシュの場合は、毎回同じ向きである。ボックスティッシュの場合は、次の紙が半分程度引き出されたままの状態で用いるのに対し、ポケットティッシュの場合は、次の紙が出てこない状態、すなわちしまいこんだままの状態で使うのが衛生的であるからその違いがあると思われる。この点に鑑みて、ポケットティッシュの紙が取り出しやすい向きに方向指示マーク２１０をつけ、その向きにあわせてポケットティッシュ収納部にはへこみ７６，７７を設けるのが望ましい。車内で用いるには、いちいち紙の向きを確認するのは大変だからである。図１１において、方向指示マーク２１０として手の指を描いてある。単なる矢印でも代用可能であるし、他のマークでもその意味がわかればよい。上に方向指示マークがあるのは、紙が下のほうにあるので、上から手を入れて取り出すべきことを示すものである。図１１では、方向指示マーク２１０が上についているポケットティッシュ２個を上から入れて収納している。このとき、ミシン目は開いて紙を取り出せる状態にしておく。くぼみ７６，７７は指を上から下に向けて入れるのに適した構造となっていて、下から上に向かっているティッシュを取り出すのに便利である。
【００１２】
図２は、ポケットティッシュの取り出し方向を指示する方向指示マークを説明する斜視図である。方向指示マークが上についているので、取り出すべき紙の端が下側にあって上に向いていることを示している。ティッシュを取り出して使おうとする人は、上から下に向けて指を挿入して紙をつかんで取り出す。
【００１３】
図３は、ポケットティッシュの取り出しの際の様子を示す断面図である。取り出すべきティッシュの紙は、下側にあるから上側から指を入れてその指を少し下に伸ばすと紙をつかめる。紙をつかんでから上に引っ張り出すことによりティッシュを取り出せる。
【００１４】
図４は、ポケットティッシュ箱にポケットティッシュを収納する様子を示す斜視図である。ポケットティッシュはポケットに丸ごと入れられる程度の大きさのポケットティッシュ袋４５０に収納されたポケットティッシュである。ポケットティッシュ箱天板４１０、ポケットティッシュ箱側板４２０、４２１、４２２、４２３などからなる箱はポケットティッシュ箱側板４２０が開閉可能となっており、ポケットティッシュ袋４５０を収納する。
【００１５】
図５は、ポケットティッシュ箱にポケットティッシュを複数個収納した様子を示す斜視図である。一番上を用いてなくなった後はその袋を取り除いて次の袋を使い始める。また予備の袋を追加して高さを保つことが可能である。さらに上述した方向指示マーク２１０のついたポケットティッシュ袋を用いる場合にはポケットティッシュ箱天板４１０にも方向指示マーク２１０を設けることとするのが望ましい。
【産業上の利用可能性】
【００１６】
駅頭などで広告宣伝のために配布するグッズとして製造販売される。またコンビニエンスストアなどで販売される日用品としても用いられる。
【図面の簡単な説明】
【００１７】
【図１】方向指示マークを設けたポケットティッシュをポケットティッシュ収納部に収納する様子を示した斜視図である。
【図２】ポケットティッシュの取り出し方向を指示する方向指示マークを説明する斜視図である。
【図３】ポケットティッシュの取り出しの際の様子を示す断面図である。
【図４】ポケットティッシュ箱にポケットティッシュを収納する様子を示す斜視図である。
【図５】ポケットティッシュ箱にポケットティッシュを複数個収納した様子を示す斜視図である。
【符号の説明】
【００１８】
７６，７７    へこみ
２００，２０１，２０２    ポケットティッシュ
２１０    方向指示マーク
４１０    ポケットティッシュ箱天板
４１５    ティッシュ取り出し口
４２０，４２１，４２２，４２３    ポケットティッシュ箱側板
４２５，４２６    側板横舌状体
４２９    側板底舌状体
４５０    ポケットティッシュ袋
４６０    ミシン目
【図１】
0003107234.tif 000003
【図２】
0003107234.tif 000004
【図３】
0003107234.tif 000005
【図４】
0003107234.tif 000006
【図５】
0003107234.tif 000007